(57)【要約】【課題】本発明は、投票用紙の詰まり部分をより容易に発見できるとともに、詰った投票用紙もより容易に除去できる投票用紙の読取分類装置を提供することを目的とするものである。【解決手段】本発明による投票用紙の読取分類装置では、読取分類装置本体１の搬送路用端面１１４との間に投票用紙２の搬送路１１０を形成する開閉体１６が読取分類装置本体１に取付けられている。開閉体１６は、搬送路１１０の延在方向１１０ａと平行な方向に延在された回動軸１６１を中心に、搬送路用端面１１４に対して近づく方向１６ａ及び離れる方向１６ｂに回動可能に設けられている。【選択図】図３
2011146943.tif 000002
【特許請求の範囲】
【請求項１】
投票用紙の記載内容を読み取るとともに、前記記載内容に基づいて前記投票用紙を分類する読取分類装置本体と、
前記読取分類装置本体に取付けられるとともに、前記読取分類装置本体の搬送路用端面との間に前記投票用紙を搬送路するための搬送路を形成する開閉体と
を備え、
前記開閉体は、前記搬送路の延在方向と平行な方向に延在された回動軸を中心に、前記搬送路用端面に対して近づく方向及び離れる方向に回動可能に設けられていることを特徴とする投票用紙の読取分類装置。
【請求項２】
前記開閉体に設けられ、前記開閉体を回動させる際に利用者によって操作される回動操作部をさらに備え、
前記回動軸は、前記開閉体の奥行方向に沿う一端側に配置されており、
前記回動操作部は、前記回動軸とは逆側の前記開閉体の他端側から操作可能に設けられていることを特徴とする請求項１記載の投票用紙の読取分類装置。
【請求項３】
前記回動軸は、前記搬送路用端面に比べて前記読取分類装置本体の外端側に配置された軸支部に軸支されており、前記開閉体は、前記搬送路が開放される際に前記読取分類装置本体の外端側に向けて回動されることを特徴とする請求項１又は請求項２に記載の投票用紙の読取分類装置。
【発明の詳細な説明】
【技術分野】
【０００１】
本発明は、投票用紙の読取分類装置に関するものである。
【背景技術】
【０００２】
従来用いられていたこの種の投票用紙の読取分類装置としては、例えば下記の特許文献１等に示されている構成が用いられている。すなわち、従来の読取分類装置では、ホッパに投入された投票用紙が撮像ユニットを通過される。撮像ユニットは、投票用紙の端面に撮像光を照射するとともに該端面での反射光を受光し、投票用紙の端面を示す画像情報を生成する。撮像手段には、情報処理手段が接続されており、情報処理手段は、撮像手段からの画像情報に基づいて、投票用紙に付されている記入枠を検出する。また、情報処理手段は、記入枠内に記載された例えば候補者や政党等の記載内容を読み取り、記載内容毎に投票用紙を異なるスタッカに搬送する。
【０００３】
一般に、このような読取分類装置では、搬送路での投票用紙の詰まりが想定されて、図４に示すように搬送路が開放可能に設けられている。すなわち、従来の読取分類装置では、読取分類装置本体２０に開閉体２１が取付けられており、読取分類装置本体２０の搬送路用端面２２と開閉体２１との間に搬送路２３が形成されるように構成されている。開閉体２１は、搬送路２３の延在方向２３ａに対して垂直な方向に延在された回転軸２４を有しており、この回転軸２４を中心に搬送路用端面２２に対して近づく方向及び離れる方向に回動可能に設けられている。搬送路２３は、図４において一点鎖線で示すように、開閉体２１が搬送路用端面２２から離れる方向に回動されることで開放される。
【先行技術文献】
【特許文献】
【０００４】
【特許文献１】特開２００４−５０２２号公報
【発明の概要】
【発明が解決しようとする課題】
【０００５】
上記のような従来の投票用紙の読取分類装置では、開閉体は、搬送路の延在方向に対して垂直な方向に延びる回転軸を中心に搬送路用端面に対して近づく方向及び離れる方向に回動可能に設けられているので、搬送路の延在方向に沿う開閉体の一方の側部に回転軸が配置されることになり、回転軸が配置された開閉体の一方の側部で搬送路の開放幅が狭くなる。このため、開放幅が狭い側部で投票用紙の詰まりが生じると、詰まり部分を発見することが難しくなるとともに、詰った投票用紙の除去も難しくなる。
【０００６】
本発明は、上記のような課題を解決するためになされたものであり、その目的は、投票用紙の詰まり部分をより容易に発見できるとともに、詰った投票用紙もより容易に除去できる投票用紙の読取分類装置を提供することである。
【課題を解決するための手段】
【０００７】
本発明に係る投票用紙の読取分類装置は、投票用紙の記載内容を読み取るとともに、記載内容に基づいて投票用紙を分類する読取分類装置本体と、読取分類装置本体に取付けられるとともに、読取分類装置本体の搬送路用端面との間に投票用紙を搬送路するための搬送路を形成する開閉体とを備え、開閉体は、搬送路の延在方向と平行な方向に延在された回動軸を中心に、搬送路用端面に対して近づく方向及び離れる方向に回動可能に設けられている。
【発明の効果】
【０００８】
本発明の投票用紙の読取分類装置によれば、開閉体は、搬送路の延在方向と平行な回動軸を中心に、読取分類装置本体に対して近づく方向及び離れる方向に回動可能に設けられているので、搬送路の延在方向に沿って搬送路の開放幅を一様に広くできる。これにより、投票用紙の詰まり部分をより容易に発見できるとともに、詰った投票用紙もより容易に除去できる。
【図面の簡単な説明】
【０００９】
【図１】本発明の実施の形態１による投票用紙の読取分類装置を示す正面図である。
【図２】図１の矢印ＩＩに沿って見た開閉体を示す側面図である。
【図３】図２の開閉体が搬送路用端面から離れる方向に回動された状態を示す側面図である。
【図４】従来の投票用紙の読取分類装置を示す説明図である。
【発明を実施するための形態】
【００１０】
以下、本発明を実施するための形態について、図面を参照して説明する。
実施の形態１．
図１は、本発明の実施の形態１による投票用紙の読取分類装置を示す正面図である。図において、読取分類装置本体１には、ホッパ１０、搬送手段１１、複数のスタッカ１２、撮像ユニット１３、及び表示手段１４が設けられている。
【００１１】
ホッパ１０は、外部から投入された複数枚の投票用紙２が貯められるケースである。搬送手段１１は、複数の搬送ローラ１１ａから構成されており、ホッパ１０から各スタッカ１２まで投票用紙２を搬送する搬送路１１０を形成している。各スタッカ１２は、後述のように分類された投票用紙２が貯められるケースである。
【００１２】
撮像ユニット１３は、投票用紙２の搬送方向２ａに沿うホッパ１０の下流かつ各スタッカ１２の上流に配置されている。この撮像ユニット１３は、投票用紙２の両側の端面に撮像光を照射するとともに端面での反射光を受光し、投票用紙２の両側の端面を示す画像情報を生成するものである。
【００１３】
撮像ユニット１３には、情報処理手段１５が接続されている。情報処理手段１５は、撮像ユニット１３からの画像情報に基づいて、投票用紙２に付されている記入枠を検出するとともに、この記入枠内に記載された記載内容を読み取る。記載内容とは、例えば候補者名や政党名等の投票者によって投票用紙２に書き込まれた内容である。また、情報処理手段１５は、記載内容毎に投票用紙２を異なるスタッカ１２に搬送する。すなわち、投票用紙２は、記載内容に基づいて分類される。表示手段１４は、利用者に対する情報を表示するものである。
【００１４】
ここで、搬送路１１０内に投票用紙２が詰る可能性もある。この実施の形態の読取分類装置本体１では、詰った投票用紙２を除去できるように搬送路１１０を開放可能とするために、図１に示すように複数の開閉体１６が読取分類装置本体１に取付けられている。
【００１５】
次に、図２は図１の矢印ＩＩに沿って見た開閉体１６を示す側面図であり、図３は図２の開閉体１６が搬送路用端面１１４から離れる方向に回動された状態を示す側面図である。図２に示すように、読取分類装置本体１は、複数の本体側ローラ１１３が取付けられた搬送路用端面１１４を有している。開閉体１６は、複数の開閉体側ローラ１６０を有する略平板状部材であり、搬送路用端面１１４に対向して配置されている。搬送路１１０は、本体側ローラ１１３と開閉体側ローラ１６０とが互いに対向されることで形成されるものであり、搬送路用端面１１４と開閉体１６との間に形成されている。すなわち、図１で示した搬送ローラ１１ａには、本体側ローラ１１３と開閉体側ローラ１６０とが含まれている。
【００１６】
開閉体１６には、回動軸１６１と回動操作部１６２とが設けられている。回動軸１６１は、開閉体１６の奥行方向１６ｄに沿う一端側に配置された軸体であり、読取分類装置本体１の軸支部１１５に軸支されている。軸支部１１５は、開閉体１６の奥行方向１６ｄに沿って延在された板部材であり、回動軸１６１は、開閉体１６の奥行方向１６ｄと直交する搬送路１１０の延在方向１１０ａと平行な方向に沿って延在されている。すなわち、開閉体１６は、図３に示すように、搬送路１１０の延在方向１１０ａと平行な方向に延在された回動軸１６１を中心に、搬送路用端面１１４に対して近づく方向１６ａ及び離れる方向１６ｂに回動可能に設けられている。
【００１７】
搬送路１１０は、開閉体１６が搬送路用端面１１４から離れる方向に回動されることで開放される。回動軸１６１が搬送路１１０の延在方向１１０ａと平行な方向に延在されていることで、搬送路１１０の開放幅１１０ｂが延在方向１１０ａに沿って一様とされている。
【００１８】
回動操作部１６２は、開閉体１６を回動させる際に利用者によって操作されるレバー部材であり、回動軸１６１とは逆側の開閉体１６の他端側から操作可能に設けられている。すなわち、回動操作部１６２を操作する利用者から見て奥側に回動軸１６１が配置されており、回動操作部１６２を操作する利用者から見て手前側で搬送路１１０の開放幅１１０ｂが最大となる。
【００１９】
ここで、軸支部１１５は、搬送路用端面１１４に比べて読取分類装置本体１の外端１１６側に配置されている。すなわち、開閉体１６は、搬送路１１０が開放される際に、読取分類装置本体１の外端１１６側に向けて回動される。図２及び図３で示す開閉体１６は、読取分類装置本体１の下部に配置されたものであり、この開閉体１６は搬送路１１０を斜め下方に向けて開放する。すなわち、読取分類装置本体１の下部の搬送路１１０で投票用紙２が詰った場合には、開閉体１６を回動させて搬送路１１０を開放させることにより、投票用紙２を手前側に落下させることができる。
【００２０】
このような投票用紙の読取分類装置は、開閉体１６は、搬送路１１０の延在方向１１０ａと平行な方向に延在された回動軸１６１を中心に、搬送路用端面１１４に対して近づく方向１６ａ及び離れる方向１６ｂに回動可能に設けられているので、搬送路１１０の延在方向１１０ａに沿って搬送路１１０の開放幅１１０ｂを一様に広くできる。これにより、投票用紙２の詰まり部分をより容易に発見できるとともに、詰った投票用紙２もより容易に除去できる。
【００２１】
また、回動軸１６１は、開閉体１６の奥行方向１６ｄに沿う一端側に配置されており、回動操作部１６２は回動軸１６１とは逆側の開閉体１６の他端側から操作可能に設けられているので、回動操作部１６２を操作する利用者から見て手前側で搬送路１１０の開放幅１１０ｂを最大とすることができ、利用者の作業効率を向上できる。
【００２２】
さらに、回動軸１６１は、搬送路用端面１１４に比べて読取分類装置本体１の外端１１６側に配置された軸支部１１５に軸支されており、開閉体１６は、搬送路１１０が開放される際に読取分類装置本体１の外端１１６側に向けて回動されるので、読取分類装置本体１の下部の搬送路１１０を斜め下方に向けて開放でき、該搬送路１１０に詰った投票用紙２を手前側に落下させることができる。これにより、利用者の作業効率をさらに向上できる。
【符号の説明】
【００２３】
１  読取分類装置本体
２  投票用紙
１６  開閉体
１６１  回動軸
１６２  回動操作部
１１０  搬送路
１１４  搬送路用端面
１１５  軸支部
【図１】
2011146943.tif 000003
【図２】
2011146943.tif 000004
【図３】
2011146943.tif 000005
【図４】
2011146943.tif 000006